(57)【要約】      （修正有）【課題】多量のマイナスイオンを発生させることが可能なマイナスイオンパウダー配合糸およびそれを使用した繊維製品を提供する。【解決手段】糸Ａの形態に特に制限はなく、単体の糸１であってもよいし、単体の糸１が複数本合わさった糸２であってもよい。糸１の太さは、たとえば１２．２デシテックスであり、糸２の太さは、たとえば２２０デシテックスである（デシテックス：化合繊の糸の太さの単位で、１０，０００ｍ当りのグラム数）。また、本考案に係る糸Ａは、真っ直ぐな中心糸３と、この中心糸３の周囲に螺旋状に巻回された巻き糸４とからなるカバーリング糸であってもよい。糸の原料は、たとえば、ナイロンやポリウレタン等である。上記のいずれの形態においても、マイナスイオンパウダー配合糸Ａには、酸化ジルコニウム（ＺｒＯ２）と、酸化珪素（ＳｉＯ２）とを含んだ混合パウダーが配合されている。【選択図】図１
0003192514.tif 000002
【実用新案登録請求の範囲】
【請求項１】
微量のトリウムを含有する酸化ジルコニウムと、酸化珪素と、を含んだ混合パウダーを配合したことを特徴とするマイナスイオンパウダー配合糸。
【請求項２】
前記混合パウダーは、酸化ジルコニウムを０．０１％〜５％、酸化珪素を７５％〜７９．９９％の範囲で含むことを特徴とする、請求項１に記載のマイナスイオンパウダー配合糸。
【請求項３】
前記混合パウダーは、土壌や鉱物中に含まれる揮発性の有機物をさらに含むことを特徴とする、請求項１または請求項２に記載のマイナスイオンパウダー配合糸。
【請求項４】
前記酸化ジルコニウムは、微量のウランをさらに含有することを特徴とする、請求項１ないし請求項３のいずれかに記載のマイナスイオンパウダー配合糸。
【請求項５】
前記混合パウダーは、前記酸化珪素に代えて、酸化アルミニウムを含むことを特徴とする、請求項１ないし請求項４のいずれかに記載のマイナスイオンパウダー配合糸。
【請求項６】
請求項１ないし請求項５のいずれかに記載のマイナスイオンパウダー配合糸から構成されていることを特徴とする繊維製品。
【考案の詳細な説明】
【技術分野】
【０００１】
本考案は、マイナスイオンを発生する物質を含有させた糸と、この糸を使用したストッキングなどの繊維製品に関する。
【背景技術】
【０００２】
マイナスイオンには、身体の新陳代謝や血行の促進、疲労回復などの効用があることはよく知られている。そこで、このようなマイナスイオンの特性に着目して、マイナスイオンを発生する物質を含有させた糸や、その糸を用いたストッキングなどの繊維製品が、例えば特許文献１〜４で提案されている。
【０００３】
特許文献１では、マイナスイオン発生物質として、珪素を主成分とする多元素鉱物を粉砕して形成したイオンパウダーが用いられている。特許文献２〜４では、マイナスイオン発生物質として、トルマリンの微粉末が用いられている。
【先行技術文献】
【特許文献】
【０００４】
【特許文献１】特開２００６−６３５０５号公報
【特許文献２】特開平１１−１５２６０５号公報
【特許文献３】特開平１０−２１９５０２号公報
【特許文献４】実公平７−７３３８号公報
【考案の概要】
【考案が解決しようとする課題】
【０００５】
従来のマイナスイオン発生物質を含有させた糸では、発生するマイナスイオンの量に限界があり、マイナスイオン本来の効用を十分に発揮させることは困難であった。
【０００６】
そこで、本考案は、多量のマイナスイオンを発生させることが可能なマイナスイオンパウダー配合糸およびそれを使用した繊維製品を提供することを目的としている。
【課題を解決するための手段】
【０００７】
本考案に係るマイナスイオンパウダー配合糸は、微量のトリウムを含有する酸化ジルコニウムと、酸化珪素と、を含んだ混合パウダーを配合したものである。また、本考案に係る繊維製品は、上記のようなマイナスイオンパウダー配合糸から構成されるものである。
【０００８】
これによると、酸化ジルコニウムに含有されている放射性元素である微量のトリウムが、壊変時にα線、β線、γ線を放出し、これらの放射線が空気中の物質と相互作用して、物質から電子を引き離す（電離）。この物質から引き離された電子は、空気中の酸素や二酸化炭素や水蒸気などの他の物質と衝突し、これらに付着することによって、マイナスイオンとなる。本考案では、トリウムから放出される放射線の電離作用により、大量のマイナスイオンを発生させることが可能となる。
【０００９】
本考案において、混合パウダーは、酸化ジルコニウムを０．０１％〜５％、酸化珪素を７５％〜７９．９９％の範囲で含むことが好ましい。
【００１０】
本考案において、混合パウダーは、土壌や鉱物中に含まれる揮発性の有機物をさらに含むものであってもよい。
【００１１】
本考案において、酸化ジルコニウムは、微量のウランをさらに含有していてもよい。
【００１２】
本考案において、混合パウダーは、酸化珪素に代えて、酸化アルミニウムを含むものであってもよい。
【考案の効果】
【００１３】
本考案によれば、酸化ジルコニウムに含有されるトリウムにより、多量のマイナスイオンが発生するので、マイナスイオン本来の効用を十分に発揮させることができる。
【図面の簡単な説明】
【００１４】
【図１】本考案に係るマイナスイオンパウダー配合糸の一例を示した図である。
【図２】混合パウダー、酸化ジルコニウム、二酸化トリウムのそれぞれのエネルギー分布曲線（γ線スペクトル）を示した図である。
【図３】本考案に係る繊維製品の一例を示した図である。
【考案を実施するための形態】
【００１５】
以下、本考案の実施形態につき、図面を参照しながら説明する。各図において、同一の部分または対応する部分には、同一符号を付してある。
【００１６】
図１は、マイナスイオンパウダー配合糸Ａの一例を示している。本考案では、糸Ａの形態に特に制限はなく、図１（ａ）のような単体の糸１であってもよいし、図１（ｂ）に示すように、単体の糸１が複数本合わさった糸２であってもよい。糸１の太さは、たとえば１２．２デシテックスであり、糸２の太さは、たとえば２２０デシテックスである（デシテックス：化合繊の糸の太さの単位で、１０，０００ｍ当りのグラム数）。また、本考案に係る糸Ａは、図１（ｃ）に拡大して示すように、真っ直ぐな中心糸３と、この中心糸３の周囲に螺旋状に巻回された巻き糸４とからなるカバーリング糸であってもよい。糸の原料は、たとえば、ナイロンやポリウレタン等である。
【００１７】
上記のいずれの形態においても、マイナスイオンパウダー配合糸Ａには、酸化ジルコニウム（ＺｒＯ２）と、酸化珪素（ＳｉＯ２）とを含んだ混合パウダーが配合されている。一例として、この混合パウダーの組成は、酸化ジルコニウムが３％、酸化珪素が７７％、その他の物質が２０％となっている。その他の物質とは、たとえば、土壌や鉱物中に含まれる揮発性の有機物である。
【００１８】
上述した混合パウダーの物理的・化学的性質の一例を示すと、次のとおりである。
・外観：薄茶色の無臭超微粉
・比重：３．０〜３．２
・粒度：６ミクロン未満（平均１．１ミクロン）
・融点：２０００℃以上
・発火点：なし
【００１９】
糸に混合パウダーを配合する方法としては、たとえば練り込みがある。すなわち、糸の原料と混合パウダーとを混ぜて、混合パウダー入りの糸を作る。なお、本考案では、混合パウダーの配合方法に特に制限はなく、練り込み以外の方法、たとえば、糸の表面に混合パウダーの被覆層を形成するなどの方法を採用してもよい。
【００２０】
ところで、本考案で用いる混合パウダー中の酸化ジルコニウムには、放射性元素である微量のトリウムが含有されている。このトリウムは、酸化ジルコニウムの生成時に、ジルコニウムの一部と置換することにより、酸化ジルコニウム中に取り込まれているものであり、トリウム系列の親核種であるトリウム２３２である。トリウム２３２は、数回のα壊変（α線の放出）およびβ壊変（β線の放出）を経て、安定な物質になる。なお、α壊変やβ壊変の際には、γ線も放出される。
【００２１】
このときに放出されるα線、β線、γ線などの放射線は、空気中の物質と相互作用して、物質から電子を引き離す（電離現象）。この物質から引き離された電子は、空気中の酸素や二酸化炭素や水蒸気などの他の物質と衝突し、これらに付着することによって、マイナスイオンとなる。
【００２２】
したがって、酸化ジルコニウムと酸化珪素等との混合パウダーを配合した糸Ａは、酸化ジルコニウムに含まれるトリウムが放出する放射線の電離作用によって、マイナスイオンを発生することになる。なお、酸化ジルコニウム中のトリウムはごく微量であるため、トリウムから発生する放射線の人体への影響は、ほとんど無視することができる。したがって、本考案で用いる混合パウダーは、労働安全衛生法施行令に基づく電離放射線障害防止規則でいう「放射性物質」には該当しない。
【００２３】
図２は、γ線スペクトロメータを用いて測定した、γ線のエネルギー分布曲線を示している。上段のグラフは、酸化ジルコニウムと酸化珪素等との混合パウダーのγ線スペクトル、中段のグラフは、酸化ジルコニウムのγ線スペクトル、下段のグラフは、二酸化トリウム（ＴｈＯ２）のγ線スペクトルである。二酸化トリウムは、エネルギー分布の相対比較のために用いた標準試料である。
【００２４】
図２において、横軸のチャンネル数は、あるエネルギーの幅を等間隔のエネルギー幅で分割した際の何番目に相当するかを表している。縦軸は、γ線のエネルギー強度を表している。但し、３つのグラフの各縦軸の目盛は同じではないので、異なる試料間での強度比較はできない。しかしながら、混合パウダーおよび酸化ジルコニウムの各スペクトルが、標準試料である二酸化トリウムのスペクトルと同じ傾向を示していることから、混合パウダーおよび酸化ジルコニウムにトリウムが含有されていることが裏付けられる。
【００２５】
なお、混合パウダー中の酸化ジルコニウムには、トリウムのほか、放射性元素である微量のウランも含有されている。このウランは、酸化ジルコニウムの生成時に、ジルコニウムの一部と置換することにより、酸化ジルコニウム中に取り込まれているものであり、ウラン系列の親核種であるウラン２３８である。
【００２６】
ウラン２３８も、トリウム２３２と同様に、数回のα壊変（α線の放出）およびβ壊変（β線の放出）を経て、安定な物質になる。また、α壊変やβ壊変の際には、γ線も放出される。そして、このウラン２３８から放出される放射線の電離作用に基づいて、マイナスイオンが生成される。
【００２７】
酸化ジルコニウムと酸化珪素等との混合パウダーにつき、ＪＩＳ（日本工業規格）に準拠した測定法に基づき試験を行った結果を以下に示す。
・試験試料：混合パウダー
酸化ジルコニウム３％、酸化珪素７７％、その他２０％
・測定機器：ＭＯＤＥＬ−ＳＮ
本体構造  円筒型コンデンサー
計測部    負帰還型振動容量電位計
・天候：晴れ
・室温：２５℃
・湿度：３８％
・気圧：１，０１５ｈｐａ
・空気清浄度：クラス５
・大きさ：２ｇ（φ８０ｍｍ金属製皿に入れて）
上記の環境下で、センサー部先端にＳＵＳ製の箱を設置し、その中に試験試料を入れて測定を行った。なお、箱の空気導入側の筒の先端に、空気清浄機（ヘパフィルタ）およびイオンフィルタを設置した。試験結果は次表の通りである。
【表１】
0003192514.tif 000003
【００２８】
表１のように、マイナスイオンのイオン密度は、クラス４となっており、酸化ジルコニウムと酸化珪素等との混合パウダーが、多量のマイナスイオンを発生することがわかる。
【００２９】
図３は、本考案のマイナスイオンパウダー配合糸Ａを用いた繊維製品Ｂの一例を示している。（ａ）はパンティストッキング、（ｂ）は靴下、（ｃ）はシャツ類、（ｄ）はパンツ類である。図３では、便宜上、繊維製品Ｂの一部のみにマイナスイオンパウダー配合糸Ａを図示しているが、実際の製品では、全体がマイナスイオンパウダー配合糸Ａから構成される。もちろん、繊維製品Ｂの所定部位のみを、マイナスイオンパウダー配合糸Ａから構成してもよい。また、ラメ糸を織り込んだ繊維製品では、ラメ糸に混合パウダーを配合してもよい。
【００３０】
このようなマイナスイオンパウダー配合糸Ａを用いた繊維製品Ｂは、前述のように、トリウムやウランから放出される放射線の電離作用により、大量のマイナスイオンを発生させるので、身体の新陳代謝、血行の促進、疲労回復などのマイナスイオン本来の効用を十分に発揮させることができる。また、混合パウダーは酸化珪素を含んでいるので、酸化珪素が放出する遠赤外線による温熱効果も得られる。
【００３１】
本考案は、以上述べた実施形態に限らず、以下のような種々の実施形態を採用することができる。
【００３２】
上記実施形態では、混合パウダーの組成を、酸化珪素７７％、酸化ジルコニウム３％、その他２０％としたが、これは一例であって、上記以外の組成比としてもよい。この場合、混合パウダーは、酸化ジルコニウムを０．０１％〜５％、酸化珪素を７５％〜７９．９９％の範囲で含むことが好ましい。
【００３３】
上記実施形態では、酸化ジルコニウムと混合する物質として、酸化珪素を例に挙げたが、本考案はこれに限定されない。たとえば、酸化珪素に代えて、酸化アルミニウム（Ａｌ２Ｏ３）を用いてもよい。
【００３４】
本考案のマイナスイオンパウダー配合糸Ａは、図３に示した繊維製品Ｂに限らず、たとえば、手袋、帽子、頭髪用ネット、スポーツ用サポーター、スポーツ用スーツなど、各種の繊維製品に広く用いることができる。
【符号の説明】
【００３５】
Ａ  マイナスイオンパウダー配合糸
Ｂ  繊維製品
【図１】
0003192514.tif 000004
【図２】
0003192514.tif 000005
【図３】
0003192514.tif 000006
【手続補正書】
【提出日】平成26年7月14日(2014.7.14)
【手続補正１】
【補正対象書類名】実用新案登録請求の範囲
【補正対象項目名】請求項１
【補正方法】変更
【補正の内容】
【請求項１】
繊維製品に用いられる、単体の糸、単体の糸が複数本合わさった糸、または真っ直ぐな中心糸とこの中心糸の周囲に螺旋状に巻回された巻き糸とからなるカバーリング糸であって、
前記糸に、微量のトリウムを含有する酸化ジルコニウムと、酸化珪素と、を含んだ混合パウダーが練り込まれ、または被覆されていることを特徴とするマイナスイオンパウダー配合糸。
【手続補正２】
【補正対象書類名】明細書
【補正対象項目名】０００７
【補正方法】変更
【補正の内容】
【０００７】
本考案に係るマイナスイオンパウダー配合糸は、繊維製品に用いられる、単体の糸、単体の糸が複数本合わさった糸、または真っ直ぐな中心糸とこの中心糸の周囲に螺旋状に巻回された巻き糸とからなるカバーリング糸であって、前記糸に、微量のトリウムを含有する酸化ジルコニウムと、酸化珪素と、を含んだ混合パウダーが練り込まれ、または被覆されている。また、本考案に係る繊維製品は、上記のようなマイナスイオンパウダー配合糸から構成されるものである。